(57)【要約】【課題】    そのままでは自立不可能な棒先杖の下部に着脱可能な自立具を装着することにより安定した歩行と不使用時の自立が容易に行える棒先杖用４点支持自立具を提供する。【解決手段】  堅牢な四角形の木板を中心線上で２分割し該蝶形に加工した対称の左右自立板１，２において、角形の左上下連結具３，５と右上下連結具４，６を左右自立板の分割面の上下に固着し、左自立板と右自立板を中心線上で合致させ片側端部は丁番７で蝶着し、他側上下にはトラス小ネジ１０と爪付ナット１１で締結することができる連結穴を設ける。左右上連結具の中心より杖軸Aの径に対応する穴を左右下連結具下部の一部を残してあけ、左右自立板下面角部分４箇所にはゴム脚８を皿頭タッピングネジ９で螺着する。【選択図】図１
2019111089.tif 000002
【特許請求の範囲】
【請求項１】
堅牢な四角形の木板を中心線上で２分割し該蝶形に加工した対称の左右自立板において、角形の左上下連結具と右上下連結具を左右自立板の分割面の上下に固着し、左自立板と右自立板を中心線上で合致させ片側端部は丁番で蝶着し、他側上下にはトラス小ネジと爪付ナットで締結することができる連結穴を設ける。左右上連結具の中心より杖軸の径に対応する穴を左右下連結具下部の一部を残してあけ、左右自立板下面角部分４箇所にはゴム脚を皿頭タッピングネジで螺着したことを特徴とする棒先杖用４点支持自立具。
【請求項２】
化成品を用いて左自立板と左上下連結具及び右自立板と右上下連結具それぞれを一体成型したことを特徴とする請求項1に記載の棒先杖用４点支持自立具。
【発明の詳細な説明】
【技術分野】
【０００１】
本発明は、そのままでは自立不可能な棒先杖の下部に装着することにより、不使用時には容易に自立させることが出来ると共に、歩行時には安定性が向上しデザイン性にも優れた棒先杖用４点支持自立具に関する。
【背景技術】
【０００２】
杖は歩行時の補助具として、脚が弱って歩行バランスが悪い高齢者及び歩行に何らかの支障が生じる人等に対して幅広く対応する必需品として多種多様の品種及び関連商品が市販されていると共に使い勝手の良さ及び工夫を凝らした製品が各種提案されている。杖は使用目的により歩行補助用と屋内での立ち上がり及び移動用に大別される。把手はどちらもほとんどT字型で体重がかけやすくなっているが使い勝手をよくした棒状又は棒を曲げ加工した杖もある。歩行補助用は、下端に先ゴム付の棒先杖と下端に３〜４点支持の自立部分を固着又は装着し歩行時には安定した歩行状態が保てると共に不使用時には自立を可能とする自立杖があるが一般には棒先杖が主で自立杖を見かけることは少ない。棒先杖は不使用時には自立しないので壁、柱、テーブル等に立てかける物体が必要でありバランスがとれないと倒れるが自立杖は歩行が安定し平坦な地面で慎重に扱えば自立するので今後多くの使用が期待されるが現時点ではまだ認知度は低い。室内での立ち上がり及び移動用の自立杖は下端に主に４本脚が通常より大きな寸法で杖軸と一体で構成され使用時での安定性が重視されるので主に屋内での介護用生活必需品として各種製品が多くあり屋外での使用も慎重に扱えば問題はない。
【０００３】
市販の自立杖に変えてより使い勝手の良い自立杖を提供する為に今まで多くの提案がなされている。１例は、棒状支柱の先端に装着部品を装着し、それに立ち上がり部を設け、さらに滑り止めを取り付けた張出部を３個設けた構成とした自立杖（特許文献１）。２例は、杖本体の下部に開閉自在に補助脚を設け、補助脚に設けた爪を脚用ラッチで係止した状態では補助脚を閉じた状態に保持し脚用ラッチの係止を解放した状態では補助脚を開いて自立可能とする重量移動式自立杖（特許文献２）がある。
【０００４】
本発明者は、先に堅牢な木材を用い、頂部を円加工した三角形の前自立板と下部両端を円加工した梯形の後自立板を合致させ、それぞれの上下面に連結具を固着し片側端部は丁番で蝶着し他側上下面はネジとナット連結可能とし、中心には杖軸の径に対応する穴をあけ、前後自立板頂部分下面３箇所にはゴム脚を装着し、前後自立板で杖軸を挟持して自立を可能とする１本杖自立用３点支持保持具を提案している（特許文献３）。
【先行技術文献】
【特許文献】
【０００５】
【特許文献１】特開２００６−０３４９３０
【特許文献２】特開２００５−２９６１７３
【特許文献３】特願２０１６−２２５６９５
【発明の概要】
【発明が解決しようとする課題】
【０００６】
市販の自立杖はデザイン的には優れており使い勝手もよいが、日常生活において自立杖使用者を目にすることは少ない。原因は、杖の先は棒状であると言う固定概念と自立杖の試用機会が少ないことでは無いかと考える。又、棒先杖を自立させるための取り替え用先ゴム（３〜４点支持）も同様で認知度は低い。但し、主に屋内で使用する介護用の自立杖は介護用貸出品にも各種採用されており多くの人に愛用され必需品となっている。更に、棒先杖を自立させるためには前述の特許文献１のような杖の下部に複数の自立脚を設ける方法と特許文献２のように必要に応じて杖の下部に開閉可能な補助脚を設ける方法があり、他にも同様の各種提案がなされているが何れも機能的には優れていても商品化するには部品点数が多くコスト面において市販品に対抗できるとは考え難くこれらを用いた商品は現時点ではあまり見当たらない。特許文献３の１本足自立用３点保持具はこれらの課題が解決できる形態ではあるが、３点支持は安定性において接地面が凹凸の場合には効果はあるが平坦面では４点支持に比較すれば安定度は劣りデザイン性においても再検討を要することが判明した。従って、発明が解決しようとする課題は、市販の棒先杖の下端に装着することにより使用時には安定した歩行と不使用時には容易に自立させることが出来る使い勝手がよくデザイン性にも優れた歩行用と室内用の棒先杖用４点支持自立具を簡単な形態で安価にて提供することである。
【課題を解決するための手段】
【０００７】
堅牢な四角形の木板を中心線上で２分割し該蝶形に加工した対称の左右自立板において、角形の左上下連結具と右上下連結具を左右自立板の分割面の上下に固着し、左自立板と右自立板を中心線上で合致させ片側端部は丁番で蝶着し、他側上下にはトラス小ネジと爪付ナットで締結することができる連結穴を設ける。左右上連結具の中心より杖軸の径に対応する穴を左右下連結具下部の一部を残してあけ、左右自立板下面角部分４箇所にはゴム脚を皿頭タッピングネジで螺着する。
【発明の効果】
【０００８】
先ゴムを外した棒先杖の下部に、蝶着した左右対称の該蝶形自立具を杖軸径に対応した穴径で杖軸を挟持し、トラス小ネジと爪付ナットで強固に締結することにより対応する杖軸に容易に装着することができる。使用時においては４個のゴム脚の内、着地時には後２個、離地時には前２個と交互に作用して安定した歩行ができる共に不使用時には円形のゴム脚が４点支持となり従来品と同等以上の自立度が得られる。（但し、ゴム脚間の寸法により異なる）又、使用の木材は分割された各部品の寸法と面積が小さいので一定の強度が確保できれば各種端材、間伐材等の使用が可能で資源の有効活用で材料費を低減することが出来る。更に、化成品で左右自立具をそれぞれ一体成型すれば部品点数が減り製作が容易となり大量生産に適している。従って、着脱容易で簡単な構造で使い勝手のよい棒先杖用４点支持自立具を安価にて提供することが出来る。
【図面の簡単な説明】
【０００９】
【図１】棒先杖用４点支持自立具に杖を装着した斜視図である。
【図２】棒先杖用４点支持自立具の正面図である。
【図３】棒先杖用４点支持自立具の平面図である。
【図４】棒先杖用４点支持自立具の下面図である。
【図５】棒先杖用４点支持自立具の右側面図である。
【発明を実施するための形態】
【００１０】
四角形の板を中心線上で分割し、それぞれを該蝶形に加工した左右対称の自立板の分割面の上下に角形の連結具を固着し、前側は丁番で蝶着し後方上下連結具はそれぞれトラス小ネジと爪付ナットで締結する連結穴を設ける。中心には杖軸の径に対応する穴を前後下連結具下部の一部を残してあけ、左右自立板下面角部分４箇所にはゴム脚を皿頭タッピングネジで螺着した形態とする。
【実施例１】
【００１１】
以下、本発明の実施例を図面に基づいて説明する。図１は本発明に係わる棒先杖用４点支持自立具に杖を装着した斜視図、図２は正面図、図３は平面図、図４は下面図、図５は右側面図である。堅牢な四角形の木板を中心線上で２分割し左右対称の該蝶形に加工した左右自立板１，２の分割面上下に角形の左右上下連結具３，４，５，６を固着し、左右上下連結具の片側端部は丁番７で蝶着し他側の上下面にはトラス小ネジ１０と爪付ナット１１で締結可能な連結穴を設け、左上下連結具の穴には爪付ナットを嵌入する。左右上連結具の接続部分中心には装着する杖の軸径Aに対応する穴を左右下連結具下部の一部を残してあける。左右自立板の頂部分下面４箇所にはそれぞれゴム脚８を皿頭タッピングネジ９で螺着する。
【実施例２】
【００１２】
自立具下部ゴム脚間の寸法は自立度が高いことが望まれるので間隔が広い方が安定するが使用時において広いと歩行時に足の側面に接触する可能性が高くなる。本発明に関し試作品を製作し次の仕様にて検証した。自立板の板厚は１５ｍｍ、連結具は１５ｍｍ角とし、ゴム脚中心間の寸法を歩行補助用は縦１００ｍｍ、横８０ｍｍ、移動及び立ち上がり用は縦１５０ｍｍ、横１２０ｍｍ、ゴム脚は市販品の品番Ｋ−２２（２２φ×１８φ×２４Ｈ材質ＥＤＰＭ））を使用し、杖は軸径１６ｍｍに装着してそれぞれ約６ヵ月使用（歩行補助用約１０万歩、移動及び立ち上がり用約５万歩）したが、いずれも自立具の亀裂、破断、部品の脱落、ゴム脚の摩耗等は無く長期使用に耐えられると確認出来た。但し、使用条件によっては不測の事態も予想されるので商品化に際しては十分なる検討を要しなくてはならないと考える。尚、寸法に関しては、加工容易な木材を使用するので変更は可能であり各個人の身体状況により寸法の設定を行うことが出来る。又、ゴム脚間の寸法においては基本的には使用安定感及びデザイン性を考慮して横寸法に対して縦寸法を長くすればより安定度を増すことができる。杖軸と自立板が固定されているので歩行中には格段に安定度が増し傾斜地であっても４脚が効果的に作用するので滑りにくく使い勝手もよい。
【実施例３】
【００１３】
請求項１において、左自立板１と左上下連結具３．５及び右自立板２と右上下連結具４，６をそれぞれ化成品で一体成型すれば部品の加工と固着及び塗装の必要が無くなるが金型を用いなければならないので生産量との兼ね合いを考慮する必要がある。尚、素材が化成品なので全ての穴及びネジ取り付用の加工は化成品向け仕様となる。
【実施例４】
【００１４】
杖への装着は、先ゴムを外し杖握り部Bが左右自立板1、２の左右上連結具３，５と直列となるように設定し杖軸A下端を杖自立具中央穴の底に当て左右自立具で挟持し連結穴にトラス小ネジ１０を差し込み爪付ナット１１に嵌合させ強固に締め付ければ完了する。トラス小ネジは頭部が大きく締め付け部材への接触面積が大きいので緩み止めの効果があり爪付ナットもネジ部が長く確実に締め付ければ左右自立具の反発力により使用中に緩むことはない。左右自立板に螺着のゴム脚８はそれぞれが適度の接地となる為に歩行時において地面がコンクリート、土、砂利等であっても棒先杖では得られない効果を発揮し安定度は高く自立させる状態においてもゴム脚接地面の面積が小さい円形の４点支持となり自立面に対しての対応度も優れている。尚、市販杖の直径は通常１２、１６，１９，２２ｍｍ等があるが多いのは１６ｍｍと１９ｍｍである。左右自立板の装着穴はそれぞれに適合する杖軸径に対応する穴径とすることが必要で共用することは出来ない。但し、杖軸の寸法は同じ表記寸法であっても製造元によっては多少の誤差はあるものと考えられる。従って、装着時にトラス小ネジを締め付けても確実に挟持しない場合には杖軸に絶縁テープを使用して調整すれば容易に対応することが出来る。反対に大きすぎる場合、トラス小ネジが爪付ナットに嵌合すれば左右連結具に多少の隙間が生じてもしっかりと装着できるが嵌合しなければ使用は出来ない。
【実施例５】
【００１５】
通常の棒先杖の把手はT字形が一般的であるが歩行時において身体への負担程度によりT字形把手に替えて把手が棒状の杖（以前はほとんどこの形状で今は両手で使用するストラップ付のウォーキングポールが多く使用されている）又は、把手部分を曲げ加工した杖の方が使い勝手がよいとする人も多いが杖先は同様なので本発明品を装着すればどちらも自立させることができるのでゆっくり歩く場合においては使い勝手がよく便利でもある。又、専用の杖軸で無くても市販の各種パイプ、園芸用支柱、竹等を必要長さにして直径に対応する穴径に自立具を加工して用いれば即席の自立杖を製作することが出来る。
【産業上の利用可能性】
【００１６】
不使用時に自立させることが出来ない先ゴム付棒先杖の下部に、四角形の木板を２分割し該蝶形に加工し下面にゴム脚を４個螺着した自立具を、棒先杖の先ゴムを外して装着することで、屋外での歩行時においては棒先杖使用時よりは更に安定した歩行が可能となり、屋内では自立具の寸法を大きくして安定性を増すことにより立ち上がり及び室内での移動用として活用ができる。不使用時においては手を離しても置く面が平坦であれば自立するので使い勝手が棒先杖に対して格段に良い。又、ウォーキングポールにも使用可能であり、他に棒状で径が自立具の穴に合致すれば身近にある棒材を使用すること出来る。従って、棒先杖用４点支持自立具を簡単な構造で安価にて提供することが出来る。
【符号の説明】
【００１７】
１    左自立板              A  杖軸
２    右自立板              B  杖握り部
３    左上連結具                    
４    右上連結具                    
５    左下連結具                    
６    右下連結具                
７    丁番                        
８    ゴム脚                        
９    皿頭タッピングネジ  
１０  トラス小ネジ
１１  爪付ナット
【図１】
2019111089.tif 000003
【図２】
2019111089.tif 000004
【図３】
2019111089.tif 000005
【図４】
2019111089.tif 000006
【図５】
2019111089.tif 000007